(57)【特許請求の範囲】
【請求項１】
基板ケースと該基板ケースが取り付けられるベース部との間に収納される基板であり、光通信により他の基板との間で信号伝達を行うケーブルが接続された基板を備えた遊技機において、
前記基板ケースは、ケース本体部と側板部とから構成され、
前記側板部には、前記ベース部に前記基板ケースが取り付けられた際に、当該ベース部との間に形成される開口部であって、前記ケーブルを挿通可能な開口部が設けられ、
第一の板部と第二の板部との略Ｌ字形状の塞ぎ部材であって、前記開口部に挿入されて前記基板ケースに取り付けられる前記第一の板部と、当該第一の板部が前記基板ケースに取り付けられた際に、前記開口部のうち前記ケーブルが挿通させる挿通部を除いた部分を塞ぐ略コの字形状の第二の板部と、前記第一の板部に形成され、前記ケーブルを前記基板に配設されたコネクタ位置まで案内するガイド板部とから構成される塞ぎ部材と、
前記開口部の所定の位置に取り付けられた前記塞ぎ部材の前記第二の板部と、前記基板ケースの前記側板部とに亘って貼着され、互いの取り付け位置を規制する封印シール部材と、
を備えることを特徴とする遊技機。
【請求項２】
前記ケース本体部には、遮蔽板部が立設され、当該遮蔽板部が前記開口部の周辺を囲むことを特徴とする請求項１に記載の遊技機。
【発明の詳細な説明】
【技術分野】
【０００１】
この発明は、遊技媒体（メダル・パチンコ玉）を用いて遊技を行なうことが可能なパチスロ機やパチンコ機などの遊技機に関し、特に、不正用の特殊器具（特殊ケーブル）の使用による不正行為を防止できる遊技機に関する。
【背景技術】
【０００２】
従来、基板間の通信に光通信を採用した遊技機が知られている（例えば、特許文献１）。光通信を利用することで、基板間の電気的つながりを絶つことができる結果、基板間の通信における外来ノイズの影響を抑制することができるとともに、電波を用いたゴト（不正行為）を防止している。
【０００３】
このような遊技機では、光通信により信号伝達を行うためのケーブルが基板間で接続される。このように、他の基板とケーブルで接続された基板は、ケーブルを通じて他の基板から光信号を受信すると、受信した光信号を電気信号に変換し、変換した電気信号を用いて各種処理を行う。
【先行技術文献】
【特許文献】
【０００４】
【特許文献１】特開２００９−２９７１６７号公報
【発明の概要】
【発明が解決しようとする課題】
【０００５】
しかしながら、基板間の通信に光通信を採用した遊技機では、基板上で光信号を電気信号に変換するので、電気・電子機器系統の誤作動を誘発する等のゴト行為による不正行為を防止することができなかった。例えば、不正用の特殊器具特殊ケーブル等を基板（特に、基板上のコネクタ周辺）に直接侵入された場合には、電気・電子機器系統の誤作動を誘発する等のゴト行為が行われてしまい、不正行為を防止することができなかった。
【０００６】
そこで、この発明は、上述した従来技術の課題を解決するためになされたものであり、電気・電子機器系統の誤作動を誘発する等のゴト行為による不正行為を防止することを目的とする。
【課題を解決するための手段】
【０００７】
本発明は、このような課題を解決するためになされたもので、基板ケース（例えば、後述のサブ中継基板ケース１１０）と該基板ケースが取り付けられるベース部（例えば、後述のベース部１１１Ａ）との間に収納される基板（サブ中継基板１００）であり、光通信により他の基板（例えば、後述のドア中継基板３００）との間で信号伝達を行うケーブルが接続された基板を備えた遊技機において、前記基板ケースは、ケース本体部と側板部とから構成され、前記側板部には、前記ベース部に前記基板ケースが取り付けられた際に、当該ベース部との間に形成される開口部（例えば、後述の開口部１１３）であって、前記ケーブルを挿通可能な開口部が設けられ、第一の板部（例えば、後述の第二の板部１９０）と第二の板部（例えば、後述の第一の板部１８０）との略Ｌ字形状の塞ぎ部材（例えば、後述の侵入防止部材１７０）であって、前記開口部に挿入されて前記基板ケースに取り付けられる前記第一の板部と、当該第一の板部が前記基板ケースに取り付けられた際に、前記開口部のうち前記ケーブルが挿通させる挿通部を除いた部分を塞ぐ略コの字形状の第二の板部と、前記第一の板部に形成され、前記ケーブルを前記基板に配設されたコネクタ位置まで案内するガイド板部（例えば、後述のガイド板１９４）とから構成される塞ぎ部材と、前記開口部の所定の位置に取り付けられた前記塞ぎ部材の前記第二の板部と、前記基板ケースの前記側板部とに亘って貼着され、互いの取り付け位置を規制する封印シール部材（例えば、後述の封印シール１１５）と、を備えることを特徴とする。
【０００８】
本発明によれば、開口部の一部を塞ぐ塞ぎ部材を設けたので、不正用の特殊器具が基板ケースの内部に侵入することを防ぐことができる。これにより、不正用の特殊器具（例えば、特殊ケーブル）の使用による不正行為を防止することが可能である。また、塞ぎ部材とケース本体部との間に、互いの取り付け位置を規制する封印シール部材を設けたので、開口部に装着された侵入防止部材の位置がずれたり、侵入防止部材が開口部から取り外されたことを確認することができる。これにより、繰り返し不正行為が行われることを防止することが可能である。また、本発明によれば、塞ぎ部材がＬ字形に構成され、ケース本体部に形成された開口部の一部を塞ぐと共に、開口部の所定の位置に取り付けるように形成されているので、塞ぎ部材を開口部の適切に取り付けることができ、不正用の特殊器具が基板ケースの内部に侵入することを防ぐことが可能である。また、本発明によれば、塞ぎ部材には、ケーブルを基板に配設されたコネクタ位置まで案内するガイド板部が形成されているので、ケーブルをコネクタに取り付けることを容易にすることが可能である。
【０００９】
また、本発明は、前記ケース本体部には、遮蔽板部（例えば、後述のリブ１１６）が立設され、当該遮蔽板部が前記開口部の周辺を囲むことを特徴とする。
【００１０】
本発明によれば、ケース本体部には、遮蔽板部が立設され、遮蔽板部が開口部の周辺を囲むので、万が一、不正用の特殊器具が開口部を通って基板ケースの内部に侵入した場合であっても、遮蔽板部で不正用の特殊器具特殊の更なる侵入を防止することが可能である。
【発明の効果】
【００１１】
不正用の特殊器具（特殊ケーブル）の使用による不正行為を防止できる遊技機を提供することができる。
【図面の簡単な説明】
【００１２】
【図１】図１は、本発明の実施例１に係る遊技機の正面図である。
【図２】図２は、実施例１に係る遊技機の外観斜視図である。
【図３】図３は、実施例１に係る遊技機の主制御回路及び副制御回路のブロック図である。
【図４】図４は、実施例１に係る遊技機のフロントドアの背面図である。
【図５−１】図５−１は、実施例１に係る遊技機のフロントドアの斜視背面図である。
【図５−２】図５−２は、図５−１に示したドア中継基板の平面図である。
【図６】図６は、実施例１に係るサブ中継基板を取り外した場合のフロントドアからの斜視背面図である。
【図７】図７は、実施例１に係る遊技機のサブ制御基板及びサブ中継基板の正面図である。
【図８】図８は、実施例１に係る遊技機のサブ制御基板及びサブ中継基板の側面図である。
【図９】図９は、実施例１に係る遊技機のサブ中継基板ケースの正面図である。
【図１０】図１０は、実施例１に係る遊技機のサブ中継基板ケースの側面図である。
【図１１】図１１は、実施例１に係る遊技機のサブ中継基板ケースから封印シールを除いた場合の側面図である。
【図１２】図１２は、実施例１に係る遊技機のサブ中継基板ケースの斜視背面図である。
【図１３】図１３は、実施例１に係る遊技機の侵入防止部材の斜視図（表面側）である。
【図１４】図１４は、実施例１に係る遊技機の侵入防止部材の斜視図（裏面側）である。
【図１５】図１５は、本発明の実施例２に係る侵入防止部材が配設されたフロントドアの背面側である。
【図１６】図１６は、実施例２に係る遊技機の侵入防止部材の斜視図である。
【発明を実施するための形態】
【００１３】
以下、本発明に係る実施形態について、図面に基づいて説明する。なお、この実施形態により、この発明が限定されるものではない。
【実施例１】
【００１４】
本発明の遊技機に係る実施の形態について、以下、図面を参照しながら説明する。先ず、図１及び図２を参照して、本実施の形態（実施例１）における遊技機（以下、「パチスロ機」と称する）の詳細について説明する。
【００１５】
図１は、本発明の実施例１に係る遊技機の正面図を、図２は、実施例１に係る遊技機の外観斜視図をそれぞれ示している。また、図３は、実施例１に係る遊技機の主制御回路及び副制御回路のブロック図である。
【００１６】
図１及び図２に示すように、パチスロ機１は、リール３Ｌ，３Ｃ，３Ｒや回路基板等を収容する筐体となるキャビネット１ａと、キャビネット１ａの前面側Ｆ（図２におけるＦ側）に対して開閉可能に取り付けられるフロントドア２と、フロントドア２の前面側Ｆにパネル部となるフロントパネル８とを備える。
【００１７】
キャビネット１ａの内部には、３つのリール３Ｌ，３Ｃ，３Ｒが横並びに設けられる。各リール３Ｌ，３Ｃ，３Ｒは、円筒状のフレームの周面に、複数の図柄が回転方向に沿って連続的に配置された帯状のシートを貼り付けて構成される。
【００１８】
フロントドア２のほぼ中央には、液晶表示装置５が設けられる。液晶表示装置５は、フロントドア２の前面側Ｆであって、このフロントドア２と、フロントパネル８との間に設けられる。液晶表示装置５は、取付枠（図示せず）により、フロントドア２の上側Ｔの部分に固定される。
【００１９】
フロントドア２と筐体との間の一端には、フロントドア２を筐体に回転可能に軸支するヒンジ（図示せず）が設けられている。また、他端には、フロントドア２と筐体とを施錠する施錠装置が設けられている。また、フロントドア２と筐体（キャビネット１ａ）との所定部位（ヒンジの上端部及び下端部）には、フロントドア２の開閉動作をスムーズに行なうための切り欠き部２２が設けられている。
【００２０】
液晶表示装置５は、図柄表示領域２１Ｌ，２１Ｃ，２１Ｒを含む表示画面５ａを備え、正面から見て３つのリール３Ｌ，３Ｃ，３Ｒに重畳する手前側（図２のＦ側）に位置するように設けられる。図柄表示領域２１Ｌ，２１Ｃ，２１Ｒは、３つのリール３Ｌ，３Ｃ，３Ｒのそれぞれに対応して配設され、背面側Ｒ（図２のＲ側）に設けられたリール３Ｌ，３Ｃ，３Ｒを透過することが可能となっている。
【００２１】
図柄表示領域２１Ｌ，２１Ｃ，２１Ｒは、その背後に設けられたリール３Ｌ，３Ｃ，３Ｒの回転及び停止動作が遊技者側から視認可能となる。すなわち、パチスロ機１の遊技者は、図柄表示領域２１Ｌ，２１Ｃ，２１Ｒを含めた表示画面５ａにより遊技に関する種々の映像の演出（表示）を見ることができる。
【００２２】
図柄表示領域２１Ｌ，２１Ｃ，２１Ｒには、その背後に設けられたリール３Ｌ，３Ｃ，３Ｒの回転が停止された時、リール３Ｌ，３Ｃ，３Ｒの表面に配された複数種類の図柄のうち、上段、中段、下段の各領域に各１個の図柄（合計で３個）を表示する。図柄表示領域２１Ｌ，２１Ｃ，２１Ｒを形成する上段、中段及び下段による３つの領域のうち予め定められた何れかをそれぞれ組合せてなる擬似的なラインを、入賞か否かの判定を行う対象となるライン（入賞判定ライン）としている。
【００２３】
フロントドア２の台座２ａには、遊技者による操作の対象となる各種装置や操作ボタンが配設されている。メダル投入口１０は、遊技者によって外部から投下されるメダルを受け入れるために設けられる。メダル投入口１０に受け入れられたメダルは、所定枚数（例えば、３枚）を上限として１回の遊技時に投入される。なお、所定枚数を超えたメダルはクレジットとしてパチスロ機１の内部に預けることができる。
【００２４】
ＭＡＸベットボタン１１は、パチスロ機１の内部に預けられているメダルから１回の遊技に投入する枚数（例えば、３枚）を決定するために設けられる。ベットボタン１２は、パチスロ機１の内部に預けられているメダルからメダル１枚の投入を決定するために設けられる。精算ボタン１３は、パチスロ機１の内部に預けられているメダルを精算する時に使用され、この精算ボタン１３によりメダルを外部に引き出すために設けられる。
【００２５】
スタートレバー６は、３つリール３Ｌ，３Ｃ，３Ｒの回転を開始するために設けられる。ストップボタン７Ｌ，７Ｃ，７Ｒは、リール３Ｌ，３Ｃ，３Ｒのそれぞれに対応付けられ、ストップボタン７Ｌ，７Ｃ，７Ｒの操作（押下）により、リール３Ｌ，３Ｃ，３Ｒの回転を停止させることができる。
【００２６】
スピーカ９Ｌ，９Ｒは、所定の演出内容に応じた効果音や楽曲等の音を出力する。メダル払出口１５は、遊技により獲得したメダルを排出すると共に、排出されたメダルは、メダル受皿１６に貯められる。
【００２７】
［主制御回路、副制御回路の回路構成］
次に、図３を参照して、実施例１に係るパチスロ機１が備える回路の構成について説明する。図３は、実施例１に係る遊技機の主制御回路及び副制御回路のブロック図である。図３に示すように、実施例１に係るパチスロ機１は、主制御回路７１、副制御回路７２及びこれら主制御回路７１、副制御回路７２と電気的に接続する周辺装置（アクチュエータ）を備える。
【００２８】
図３に示すように、主制御回路７１は、回路基板上に設置されたマイクロコンピュータ３０を主たる構成要素としている。マイクロコンピュータ３０は、ＣＰＵ（以下、メインＣＰＵ）３１と、ＲＯＭ（以下、メインＲＯＭ）３２及びＲＡＭ（以下、メインＲＡＭ）３３とにより構成される。
【００２９】
メインＲＯＭ３２には、メインＣＰＵ３１により実行される制御プログラム、データテーブル、副制御回路７２に対して各種制御指令（コマンド）を送信するためのデータ等が記憶されている。メインＲＡＭ３３には、制御プログラムの実行により決定された内部当籤役等の各種データを格納する格納領域が設けられる。
【００３０】
メインＣＰＵ３１には、クロックパルス発生回路３４、分周器３５、乱数発生器３６及びサンプリング回路３７が接続されている。クロックパルス発生回路３４及び分周器３５は、クロックパルスを発生する。メインＣＰＵ３１は、発生されたクロックパルスに基づいて、制御プログラムを実行する。乱数発生器３６は、予め定められた範囲の乱数（例えば、０〜６５５３５）を発生する。サンプリング回路３７は、発生された乱数の中から１つの値を抽出する。
【００３１】
マイクロコンピュータ３０の入力ポートには、スイッチ等が接続されている。メインＣＰＵ３１は、スイッチ等の入力を受けて、ステッピングモータ４９Ｌ，４９Ｃ，４９Ｒ等の周辺装置の動作を制御する。ストップスイッチ７Ｓは、３つのストップボタン７Ｌ，７Ｃ，７Ｒのそれぞれが遊技者により押されたこと（停止操作）を検出する。また、スタートスイッチ６Ｓは、スタートレバー６が遊技者により操作されたこと（開始操作）を検出する。
【００３２】
メダルセンサ４２Ｓは、メダル投入口１０に受け入れられたメダルがセレクタ（図示せず）内を通過したことを検出する。また、ＭＡＸベットスイッチ１１Ｓは、ＭＡＸベットボタン１１が遊技者により押下されたことを検出する。１ベットスイッチ１２Ｓは、ベットボタン１２が遊技者により押されたことを検出する。また、精算スイッチ１３Ｓは、精算ボタン１３が遊技者により押下されたことを検出する。
【００３３】
マイクロコンピュータ３０により動作が制御される周辺装置としては、ステッピングモータ４９Ｌ，４９Ｃ，４９Ｒ、７セグ表示器５３及びホッパー４０がある。また、マイクロコンピュータ３０の出力ポートには、各周辺装置の動作を制御するための回路が接続されている。
【００３４】
ランプ１４は、ＬＥＤ等であり、演出内容に応じた点消灯のパターンにて光を出力する。モータ駆動回路３９は、各リール３Ｌ，３Ｃ，３Ｒに対応して設けられたステッピングモータ４９Ｌ，４９Ｃ，４９Ｒの駆動を制御する。リール位置検出回路５０は、発光部と受光部とを有する光センサにより、リール３Ｌ，３Ｃ，３Ｒが一回転したことを示すリールインデックスを各リール３Ｌ，３Ｃ，３Ｒに応じて検出する。
【００３５】
ステッピングモータ４９Ｌ，４９Ｃ，４９Ｒは、運動量がパルスの出力数に比例し、回転軸を指定された角度で停止させることが可能な構成を備える。ステッピングモータ４９Ｌ，４９Ｃ，４９Ｒの駆動力は、所定の減速比を有するギアを介してリール３Ｌ，３Ｃ，３Ｒに伝達される。ステッピングモータ４９Ｌ，４９Ｃ，４９Ｒに対して１回のパルスが出力されるごとに、リール３Ｌ，３Ｃ，３Ｒは一定の角度で回転する。
【００３６】
メインＣＰＵ３１は、リールインデックスを検出してからステッピングモータ４９Ｌ，４９Ｃ，４９Ｒに対してパルスを出力した回数をカウントすることにより、リール３Ｌ，３Ｃ，３Ｒの回転角度を管理し、リール３Ｌ，３Ｃ，３Ｒの表面に配された各図柄の位置を管理する。具体的には、主に、リール３Ｌ，３Ｃ，３Ｒが図柄何個分だけ回転したかを管理する。
【００３７】
表示部駆動回路４８は、７セグ表示器５３の動作を制御する。また、ホッパー駆動回路４１は、ホッパー４０（メダル払出装置）の動作を制御する。また、払出完了信号回路５１は、ホッパー４０に設けられたメダル検出部４０Ｓが行うメダルの検出を管理し、ホッパー４０から外部に排出されたメダルが払出枚数に達したか否かをチェックする。
【００３８】
副制御回路７２は、主制御回路７１と電気的に接続されている。すなわち、主制御回路７１から送信されるコマンドに基づいて演出内容の決定や実行等の処理を行う。副制御回路７２には、液晶表示装置５、スピーカ９Ｌ，９Ｒ、ランプ１４が接続されている。主制御回路７１から送信されたコマンドに応じてこれらのアクチュエータを制御する。
【００３９】
［フロントドア２の背面部の構成］
次に、フロントドア２の背面部の構成について説明する。図４は、実施例１に係る遊技機のフロントドアの背面図である。また、図５−１は、実施例１に係る遊技機のフロントドアの斜視背面図である。図４及び図５−１に示すように、フロントドア２の背面の右側上部には、サブ中継基板１００が嵌め込まれている。サブ中継基板１００は、前述した副制御回路７２が搭載されたサブ制御基板２００と周辺基板等の配線を中継する基板である。サブ中継基板１００は、サブ中継基板ケース１１０と該サブ中継基板ケース１１０が取り付けられるベース部１１１Ａとの間に収納されている。
【００４０】
フロントドア２の背面に位置する中央上部には、サブ制御基板２００が嵌め込まれている。サブ制御基板２００は、副制御回路７２（図３）が搭載された基板であり、演出用の液晶、音声・各ランプ類及び通信データを管理する基板である。サブ制御基板２００は、サブ制御基板ケース２１０に収納されている。
【００４１】
サブ制御基板ケース２１０は、サブ制御基板２００の基板上に配設された電子部品の確認を容易にするために透明又は半透明な材料（例えば、ポリカーボネート、強化プラスチック等）で形成されている。
【００４２】
フロントドア２背面の右側下部には、ドア中継基板３００と、リセットスイッチ４００とが嵌め込まれている。ドア中継基板３００は、ドア中継基板ケース３１０の内部に収納されている。ドア中継基板３００は、パチスロ機１全体の制御を行うメイン基板とサブ中継基板１００や各種センサ等の配線を中継する基板である。
【００４３】
［ドア中継基板３００、ドア中継基板ケース３１０の構成］
次に、ドア中継基板３００、ドア中継基板ケース３１０の構成について説明する。図５−２は、図５−１に示したドア中継基板の平面図である。図５−２に示すように、ドア中継基板ケース３１０は、リセットスイッチ４００と、スイッチカバー３１１と、モード切替えスイッチ３１２と、自動精算切替えスイッチ３１３と、係止爪３１４と、ケーブル３１５とを備える。
【００４４】
リセットスイッチ４００は、エラー動作を解除する時と設定値を更新する時に使用するスイッチである。リセットスイッチ４００の上部には、スイッチカバー３１１が設けられている。
【００４５】
モード切替えスイッチ３１２は、特定の図柄の組み合わせが表示された場合の役物連続作動装置が終了した後に、打ち止めがあるように設定するか、打ち止めがないように設定するかを電源投入時に切り替える際に使用されるスイッチである。
【００４６】
自動精算切替えスイッチ３１３は、特定の図柄の組み合わせが表示された場合の役物連続作動装置が終了した後に、自動精算があるように設定するか、自動精算がないように設定するかを電源投入時に切り替える際に使用されるスイッチである。
【００４７】
ドア中継基板ケース３１０の左端には、複数（図５−２では、３個）の係止爪３１４が形成されている。すなわち、ドア中継基板ケース３１０の係止爪３１４を、フロントドア２の係止孔（図示せず）に係止させることがで、ドア中継基板ケース３１０をフロントドア２の所定の位置に固定させることができる。
【００４８】
ドア中継基板３００とサブ中継基板１００との間は、互いの基板のコネクタを接続するケーブルＦ(図７)が配設されている。すなわち、ドア中継基板３００とサブ中継基板１００間は、ケーブルＦを使用した光通信による信号伝達が行われている。
【００４９】
また、フロントドア２背面の略中央部には、サウンドＩ／Ｏ基板５００が嵌め込まれている。サウンドＩ／Ｏ基板５００は、スピーカ９Ｌ、９Ｒへの音声出力を行う基板である。フロントドア２を形成する背面部の左側上部には、液晶画面を照明するための液晶インバータ基板６００が嵌め込まれている。
【００５０】
［サブ中継基板ケース１１０の取り付け構造］
次に、図６を用いて、サブ中継基板ケース１１０の取り付け構造について説明する。図６は、本発明の実施例１に係るサブ中継基板を取り外した場合のフロントドアからの斜視背面図である。
【００５１】
図６に示すように、フロントドア２の背面部の所定の位置には、長方形状に形成された取り付け枠体４１０が固設されている。すなわち、取り付け枠体４１０によりサブ中継基板１００（図７）及びサブ中継基板ケース１１０がフロントドア２の背面側に設けられる。
【００５２】
取り付け枠体４１０は、ベース部１１１Ａと外周を囲むように立設された周壁部１１２Ａとで構成される。周壁部１１２Ａの上下それぞれには、係止爪１１７ｃ、１１７ｄが形成される。係止爪１１７ｃ、係止爪１１７ｄは、後述するサブ中継基板ケース１１０のカバー部１１１の凹部１１７ａ、１１７ｂ（図１２）にそれぞれ係止することで、カバー部１１１をベース部１１１Ａに固定する。
【００５３】
すなわち、サブ中継基板ケース１１０のカバー部１１１は、上下の係止爪１１７ｃ、１１７ｄにより係止される。また、ネジ（図示せず）をネジ孔１１９ａ、１１９ｂに螺合させることにより、取り付け枠体４１０のベース部１１１Ａに固定される。
【００５４】
また、ベース部１１１Ａの下部には、ネジ孔１１９ａが形成され、ベース部１１１Ａの上部には、ネジ孔１１９ｂが形成される。ネジ孔１１９ａには、サブ中継基板１００及びカバー部１１１を固定するためのネジが螺合される。すなわち、サブ中継基板ケース１１０のカバー部１１１に形成された係止孔１１９（図１２）からサブ中継基板１００の開口部１４０ａ、１４０ｂ（図７）にネジが挿通されるとともに、ベース部１１１Ａのネジ孔１１９ａ、１１９ｂに螺合される。
【００５５】
これにより、サブ中継基板ケース１１０のカバー部１１１は、一端が取り付け枠体４１０のベース部１１１Ａに回転可能に軸支される。また、ネジ孔１１９ａには、サブ中継基板１００を固定するためのネジが螺合される。つまり、サブ中継基板１００の開口部１４０ｂにネジが挿通されるとともに、ベース部１１１Ａのネジ孔１１９ｂに螺合される。
【００５６】
［サブ制御基板２００及びサブ中継基板１００の構成］
次に、図７および図８を用いて、サブ制御基板２００及びサブ中継基板１００の構成について説明する。図７は、実施例１に係る遊技機のサブ制御基板及びサブ中継基板の正面図である。また、図８は、実施例１に係る遊技機のサブ制御基板及びサブ中継基板の側面図である。
【００５７】
図７に示すように、サブ制御基板２００は、長方形状の基板であり、一端がサブ中継基板１００と接合して形成される。サブ制御基板２００は、左側にはグラフィックモジュール２５０がネジ止めされた基板と、右側にはサブＣＰＵ２２０、ＲＡＭ２３０及びロムカートリッジ２４０が搭載された基板とが、それぞれネジ止め固定することで構成されている。
【００５８】
また、図８に示すように、サブ制御基板２００の右側の基板は、サブ中継基板１００と同一平面上であるが、グラフィックモジュール２５０がネジ止めされた左側の基板は、サブ中継基板１００およびサブ制御基板２００の右側の基板に対して、背面方向（図２のＲ方向）に突出している。
【００５９】
サブ制御基板２００は、略中央部にサブＣＰＵ２２０が配置され、サブＣＰＵ２２０の下側にＲＡＭ２３０が配置され、サブＣＰＵ２２０の右側にロムカートリッジ２４０が配置され、サブＣＰＵ２２０の左側にグラフィックモジュール２５０が配置される。
【００６０】
サブＣＰＵ２２０は、メイン制御基板からの制御信号に基づき、予め設定されたプログラムに従ってサブ制御基板２００で行われる演出処理動作全体の制御を行う。ＲＡＭ２３０は、サブＣＰＵ２２０による演出処理の際に一時的にデータを格納する。
【００６１】
ロムカートリッジ２４０は、演出用の液晶、音声・各ランプ類及び通信のデータを管理する。グラフィックモジュール２５０は、液晶に演出用の画像を出力する組み込みモジュールである。
【００６２】
サブ中継基板ケース１１０の上部には、スイッチ開口部１１８が設けられている。スイッチ開口部１１８は、カバー部１１１がベース部１１１Ａに固定された場合に、サブ中継基板１００の音量スイッチ１２０の上部の位置となり、音量スイッチ１２０を外部に露出させる。
【００６３】
係止部１１９には、ネジを挿通させるネジ孔１１９ａが形成されている。すなわち、サブ中継基板１００の開口部１４０ａには、ネジが挿通されるとともに、ベース部１１１Ａのネジ孔１１９ａに螺合される。
【００６４】
サブ中継基板１００の上面部には、音量スイッチ１２０が配置され、右端に複数のコネクタ１３０が配置され、音声スイッチ１２０の右側にコネクタ１３０ａが配置されている。また、サブ中継基板１００の上部と下部とのそれぞれに、開口部１４０ａ、１４０ｂが設けられている。
【００６５】
開口部１４０ａ、１４０ｂは、サブ中継基板１００をベース部１１１Ａに取り付ける際に、ネジが挿通され、ベース部１１１Ａのネジ孔１１９ａ、１１９ｂに螺合される。これにより、サブ中継基板１００がベース部１１１Ａに固定される。
【００６６】
音量スイッチ１２０は、スピーカ９Ｌ、９Ｒから出力される音声出力の量を調整するためのスイッチである。音声スイッチ１２０は、後述するサブ中継基板ケース１１０のカバー部１１１がサブ中継基板１００上に取り付けられた場合において、スイッチ開口部１１８から外部に露出する。
【００６７】
複数のコネクタ１３０（図７）は、サブ中継基板１００の右端に設けられ、接続端子がサブ中継基板１００の内側に向いている。例えば、サブ制御基板２００のコネクタとサブ中継基板１００のコネクタが接続されると、サブ制御基板２００のコネクタとサブ中継基板１００とが電気的に接続される。
【００６８】
[サブ中継基板ケース１１０の構成]
次に、図９〜図１２を用いて、サブ中継基板ケース１１０の構成について説明する。図９は、実施例１に係る遊技機のサブ中継基板ケースの正面図である。図１０は、実施例１に係る遊技機のサブ中継基板ケースの側面図である。図１１は、実施例１に係る遊技機のサブ中継基板ケースから封印シールを除いた場合の側面図である。図１２は、実施例１に係る遊技機のサブ中継基板ケースの斜視背面図である。
【００６９】
サブ中継基板ケース１１０のカバー部１１１は、長方形状で形成されており、サブ中継基板１００を収納する。カバー部１１１の左右側面には、櫛歯状に形成された放熱用孔部１１２ａ、１１２ｂが設けられている。サブ中継基板１００で発生した温熱などは、放熱用孔部１１２ａ、１１２ｂにより外部に放出することができる。
【００７０】
サブ中継基板ケース１１０のカバー部１１１の上部（図１２の中央部）と、下部（図１２の右側）とには、それぞれ凹部１１７ａ、１１７ｂが形成されている。後述するように、取り付け枠体４１０の凹部１１７ａ、１１７ｂは、係止爪１１７ｃ、１１７ｄに対して、それぞれ係止されることで、ベース部１１１Ａにカバー部１１１を固定することができる。
【００７１】
次に、図１２を参照して、サブ中継基板ケース１１０の裏側の構造について説明する。図１２に示すように、サブ中継基板ケース１１０のカバー部１１１には、サブ中継基板１００を収納する長方形状のカバー部１１１に、カバー部１１１の外周を囲むように立設された周壁部１１１ａを形成する。
【００７２】
サブ中継基板ケース１１０のカバー部１１１（図１２）には、開口部１１３の近傍を覆囲するように四角形状の形成されたリブ１１６が立設されている。リブ１１６は、サブ中継基板ケース１１０内のサブ中継基板１００にリブ１１６は、サブ中継基板１００の基板上に配設された複数（図７では、６個）のコネクタ１３０側に、特殊ワイヤーＴが侵入される事を阻止するために設けられている。
【００７３】
具体的に説明すると、不正を行なう第三者が特殊ワイヤーを開口部１１３の開口を通じて、サブ中継基板ケース１１０内のサブ中継基板１００まで特殊ワイヤーＴを挿入しようとした場合、特殊ワイヤーＴの先端部は、リブ１１６に突き当たることとなる。これにより、サブ中継基板１００の基板上に配設された複数（図７では、６個）のコネクタ１３０側に特殊ワイヤーＴが侵入されることを阻止することができる。
【００７４】
［封印シール１１５の構成］
次に、封印シール１１５の構成の詳細について説明する。図９、１０に示すように、サブ中継基板ケース１１０（カバー部１１１）の開口部１１３の所定の位置に装着された侵入防止部材１７０と、サブ中継基板ケース１１０（カバー部１１１）との間には、互いの取り付け位置（位置関係）を規制する（開口部１１３に対する侵入防止部材１７０の位置を規制する）封印シール部材１１５が貼着固定されている。
【００７５】
具体的には、サブ中継基板ケース１１０のカバー部１１１と、開口部１１３に嵌め込まれ装着された侵入防止部材１７０とに亘って封印シール１１５が貼着固定されている。この封印シール１１５は、開口部１１３に装着された侵入防止部材１７０の位置がずれたり、開口部１１３から取り外されたことを確認するために設けられている。
【００７６】
すなわち、封印シール１１５の貼着位置がずれていたり、この封印シール１１５が剥がされていた場合などは、不正を行う第三者が封印シール１１５を剥がそうとして、開口部１１３から特殊ワイヤーＴを挿入させる行為を行ったことを確認することができる。これにより、封印シール１１５によって、開口部１１３から特殊ワイヤーＴを挿入させる不正行為が行われることを防止することができる。
【００７７】
［侵入防止部材１７０の構成］
次に、図１３及び図１４を用いて、本実施例１に係る侵入防止部材１７０の全体構成について説明する。図１３は、本発明の実施例１に係る遊技機の侵入防止部材の斜視図（表面）である。図１４は、本発明の実施例１に係る遊技機の侵入防止部材の斜視図（裏面）である。
【００７８】
本実施例１では、サブ中継基板ケース１１０（図１２）の所定位置（上部側）に形成された開口部１１３に特殊ワイヤーＴ（図１３）の挿入を阻止する侵入防止部材１７０を装着させる構成としている。
【００７９】
図１３に示すように、侵入防止部材１７０は、全体が略Ｌ字形に構成されると共に、平板状に形成された第一の板部１８０及び第二の板部１９０とを有する。第一の板部１８０は、短尺状に形成された板部１８１と、通孔１８３が形成された板部１８２と、板部１８１よりも長尺状に形成された板部１８４とから形成される。
【００８０】
侵入防止部材１７０は、サブ中継基板ケース１１０に形成された開口部１１３の一部（下半部）を塞ぐ塞ぎ蓋体として機能する。具体的には、侵入防止部材１７０を構成する第一の板部１８０は、不正を行なう第三者が不正用の特殊ワイヤーＴを開口部１１３を通じて、サブ中継基板ケース１１０の内部に配設されたサブ中継基板１００（図７）の位置まで侵入させようとした場合に、第一の板部１８０の板部１８４は、特殊ワイヤーＴの侵入を阻止する阻止板として機能する。
【００８１】
また、第一の板部１８０の板部１８２に設けられた通孔１８３は、ケーブルＦを通過させるため半円状の切り欠き部として形成されている。すなわち、ケーブルＦは、侵入防止部材１７０に形成された通孔１８３を挿通させることで、サブ中継基板１００（図７）のコネクタ１３０ａに接続させることができる。
【００８２】
また、侵入防止部材１７０を構成する第二の板部１９０は、平板状に形成された本体板部１９１を有し、本体板部１９１の表面１９２の所定の位置（図１３の中央部）には、矢印状に形成された溝部１９３が設けられている。この矢印は、侵入防止部材１７０をサブ中継基板ケース１１０の開口部１１３に装着させる方向を示している。
【００８３】
具体的には、侵入防止部材１７０は、サブ中継基板ケース１１０の開口部１１３の上から、溝部１９３が示す矢印方向へスライドされることで裏面の係止凸部１９５、１９６が係止され、サブ中継基板ケース１１０の開口部１１３に取り付け及び装着させることができる。
【００８４】
また、第二の板部１９０の裏面側（図１４の上部位置）には、侵入防止部材１７０の内方（内側）に向けて突出するように形成されたガイド板１９４が延設されている。ガイド板１９４は、侵入防止部材１７０がサブ中継基板ケース１１０（図７）に取り付けられる際のガイド板として機能する。
【００８５】
具体的には、侵入防止部材１７０の装着時には、この侵入防止部材１７０のガイド板１９４は、サブ中継基板ケース１１０（図７）の開口部１１３に突設された突出片１１６ａの下端部１１６ｂと当接する。
【００８６】
また、侵入防止部材１７０の裏面の所定の位置（図１４の左側上部と右側下部）には、係止凸部１９５と、係止凸部１９６とがそれぞれ設けられている。係止凸部１９５は、突出片１１６ａの側面と当接して係止できる突起部として形成されている。
【００８７】
また、係止凸部１９６は、開口部１１３の下端部に形成された開口端部１３ａと当接して係止できる突起部として形成されている。すなわち、サブ中継基板ケース１１０の開口部１１３に対する侵入防止部材１７０の装着時には、突出部１１６ａの下端縁にガイド部１９４の側面を沿わせて、装着するだけで、この侵入防止部材１７０をサブ中継基板ケース１１０の開口部１１３に取り付けることができる。以上説明したように、本実施例１では、サブ中継基板ケース１１０の開口部１１３に対する侵入防止部材１７０の取り付け及び装着を容易且つ確実に行うことができる。
【００８８】
以上説明したように、本実施例１では、サブ中継基板ケース１１０の開口部１１３に侵入防止部材１７０が装着されているので、不正を行なう第三者が不正用の特殊ワイヤーＴを開口部１１３を通じて、サブ中継基板ケース１１０の内部に配設されたサブ中継基板１００の位置まで侵入させようとした場合でも、侵入防止部材１７０の阻止板（第一の板部１８０の板部１８１、１８２、１８４）により特殊ワイヤーＴがサブ中継基板ケース１１０の内部に配設されたサブ中継基板１００の位置まで侵入することを阻止することができ、これにより、不正用の特殊器具（特殊ワイヤーＴ）の使用による不正行為を確実に防止することができる。
【実施例２】
【００８９】
次に、図１５および図１６を用いて、本発明の遊技機に係る実施例２の詳細について説明する。図１５は、本発明の実施例２に係る遊技機のフロントドアの背面部の要部を示す拡大図である。また、図１６は、実施例２に係る侵入防止部材の全体構成を示す斜視図である。
【００９０】
本実施例２では、フロントドア２と筐体（キャビネット１ａ）との間に形成された隙間部として形成された切り欠き部２２の所定の位置（上部側）に、前述した実施例１と同様に、特殊ワイヤーＴの挿入を阻止する侵入防止部材７００を装着させる構成としている。
【００９１】
［侵入防止部材２００の構成］
図１５、１６に示すように、侵入防止部材７００は、切り欠き部２２（隙間）を利用して、この切り欠き部２２から特殊ワイヤーＴをパチスロ機１の内部に侵入させて行なう不正行為を防止することができる。
【００９２】
図１５、１６に示すように、侵入防止部材７００は、平板状に形成された本体板部７０１と、本体板部７０１の裏面から屈曲する突き出し板部７０２とを有する。本体板部７０１の後端部には、一対の取り付け板部７０３が形成されている。侵入防止部材７００は、ゴム材などの弾性材料から形成されている。
【００９３】
侵入防止部材７００を、パチスロ機１に固定する場合には、本体板部７０１に設けられた一対の取り付け板部７０３をフロントドア２に設けられた取り付け孔（図示せず）に嵌合させることで、侵入防止部材７００を所定の位置（図１５の右側上部）に取り付けることができる。
【００９４】
具体的に説明すると、不正目的の第三者が特殊ワイヤーＴを切り欠き部２２に挿入した場合、特殊ワイヤーＴの先端部は、侵入防止部材７００の本体板部７０１に当接する。これにより、特殊ワイヤーＴがサブ中継基板ケース１１０の内部にまで侵入することを阻止することができる。
【００９５】
ここで、特殊ワイヤーＴの先端部が侵入防止部材７００の本体板部７０１に当接しないで、内部に侵入した場合には、この特殊ワイヤーＴの先端部が侵入防止部材７００の突き出し板部７０２に当接することとなり、これにより、特殊ワイヤーＴがサブ中継基板ケース１１０の内部にまで侵入することを阻止することができる。
【００９６】
以上説明したように、本実施例２に係る侵入防止部材７００によれば、フロントドア２と筐体（キャビネット１ａ）との間に設けた切り欠き部２２の所定の位置（上部側）に、前述した実施例１の侵入防止部材１７０と同様な機能を有する特殊ワイヤーＴの挿入を阻止する侵入防止部材７００が設けられるので、特殊ワイヤーＴが切り欠き部２２を通じて挿入された場合でも、特殊ワイヤーＴの先端部は、侵入防止部材７００の本体板部７０１に当接する。これにより、特殊ワイヤーＴがサブ中継基板ケース１１０の内部にまで侵入することを阻止することができる。この結果、不正用の特殊器具（特殊ワイヤーＴ）の使用による不正行為を確実に防止することができる。
【符号の説明】
【００９７】
１  パチスロ機
１ａ  キャビネット
２  フロントドア
２ａ  台座
３Ｌ，３Ｃ，３Ｒ  リール
５  液晶表示装置
５ａ  表示画面
６   スタートレバー
７Ｌ，７Ｃ，７Ｒ  ストップボタン
９Ｌ、９Ｒ  スピーカ
１０  メダル投入口
１５  メダル払出口
１６  メダル受皿
１１  ＭＡＸベットボタン
１２  ベットボタン
１３  精算ボタン
２１Ｌ，２１Ｃ，２１Ｒ  図柄表示領域
３０  マイクロコンピュータ
３１  ＣＰＵ
３３  ＲＡＭ
３４  クロックパルス発生回路
３５  分周器
３６  乱数発生器
３７  サンプリング回路
３９  モータ駆動回路
４０  ホッパー
４０Ｓ  メダル検出部
４１  ホッパー駆動回路
４８  表示部駆動回路
４９Ｌ，４９Ｃ，４９Ｒ  ステッピングモータ
５０  リール位置検出回路
５１  払出完了信号回路
５３  ７セグ表示器
７１  主制御回路
７２  副制御回路
１００  サブ中継基板
１１０  サブ中継基板ケース
１１１Ａ  ベース部
１１１  カバー部
１１３  開口部
１１５  封印シール
１７０、７００  侵入防止部材
１８０  第一の板部
１８１、１８２、１８４  板部
１８３  通孔
１９０  第二の板部
１９１  本体板部
１９２  表面
１９３  溝部
１９４  ガイド板
１９５、１９６  係合凸部
３００  ドア中継基板
３１１  スイッチカバー
４００  リセットスイッチ
４１０  取り付け枠体
５００  サウンドＩ／Ｏ基板
６００  液晶インバータ基板
Ｆ  ケーブル
Ｔ  特殊ワイヤー
【図１】
0005476573.tif 000002
【図２】
0005476573.tif 000003
【図３】
0005476573.tif 000004
【図４】
0005476573.tif 000005
【図５−１】
0005476573.tif 000006
【図５−２】
0005476573.tif 000007
【図６】
0005476573.tif 000008
【図７】
0005476573.tif 000009
【図８】
0005476573.tif 000010
【図９】
0005476573.tif 000011
【図１０】
0005476573.tif 000012
【図１１】
0005476573.tif 000013
【図１２】
0005476573.tif 000014
【図１３】
0005476573.tif 000015
【図１４】
0005476573.tif 000016
【図１５】
0005476573.tif 000017
【図１６】
0005476573.tif 000018